(57)【特許請求の範囲】
【請求項１】
車載ユニット（ｏｎ−ｂｏａｒｄ  ｕｎｉｔ；  ＯＢＵ）とモバイルデバイスとの間のオペレーション方法であって、
上記モバイルデバイスは、データリンクを介して上記ＯＢＵに接続され、
上記ＯＢＵおよび上記モバイルデバイスが駆動されてメインモードになり動作するステップを含み、
上記メインモードは、プロジェクターモード、大容量記憶モード、および、インターネット共有モードを含み、
上記ＯＢＵが、上記プロジェクターモード、上記大容量記憶モード、および、上記インターネット共有モードのうちの少なくとも１つを有効にするステップと、
上記ＯＢＵが、上記メインモードにおいて、上記モバイルデバイスが保持するすべてのアプリケーションに対応するリンク、および上記大容量記憶モードに対応するリンクをスクリーンに表示するステップと、を含み、
上記ＯＢＵが、上記メインモードにおいて上記スクリーンに表示される上記大容量記憶モードに対応するリンクが選択された場合に、上記大容量記憶モードを上記ＯＢＵおよび上記モバイルデバイスにおいて有効にするステップと、
上記モバイルデバイスが上記ＯＢＵの大容量記憶装置として振る舞うステップと、をさらに含む方法。
【請求項２】
上記ＯＢＵが、上記プロジェクターモードを有効にするステップと、
上記ＯＢＵが、上記モバイルデバイスの表示コンテンツを表示するステップと、
上記ＯＢＵが、上記モバイルデバイスにアクセスするステップとをさらに含む、請求項１に記載の方法。
【請求項３】
上記ＯＢＵが、上記プロジェクターモードを有効にする上記ステップは、
上記ＯＢＵが、リンクを介して上記プロジェクターモードを有効にするステップをさらに含み、
上記リンクは上記モバイルデバイスのアプリケーションに対応している、請求項２に記載の方法。
【請求項４】
上記モバイルデバイスの上記アプリケーションが最前面にない場合に、上記ＯＢＵが、上記プロジェクターモードを無効にするステップをさらに含む、請求項３に記載の方法。
【請求項５】
上記ＯＢＵが、上記インターネット共有モードを有効にするステップと、
上記モバイルデバイスが上記ＯＢＵのテザーモデムとして振る舞うステップとをさらに含む、請求項１に記載の方法。
【請求項６】
上記データリンクは無線データリンクまたは有線データリンクである、請求項１に記載の方法。
【請求項７】
上記モバイルデバイスは、携帯電話、ＰＤＡ（ｐｅｒｓｏｎａｌ  ｄｉｇｉｔａｌ  ａｓｓｉｓｔａｎｔ）、または、タブレットコンピュータである、請求項１に記載の方法。
【請求項８】
車載ユニット（ｏｎ−ｂｏａｒｄ  ｕｎｉｔ；  ＯＢＵ）と、
モバイルデバイスと、
上記ＯＢＵを上記モバイルデバイスに接続するためのデータリンクとを備えた、ＯＢＵシステムであって、
上記モバイルデバイスは、データリンクを介して上記ＯＢＵに接続され、
上記ＯＢＵおよび上記モバイルデバイスが駆動されてメインモードになり動作し、
上記メインモードは、プロジェクターモード、大容量記憶モード、および、インターネット共有モードをさらに含み、
上記プロジェクターモード、上記大容量記憶モード、および、上記インターネット共有モードのうちの少なくとも１つを有効にし、
上記メインモードにおいて、上記モバイルデバイスが保持するすべてのアプリケーションに対応するリンク、および上記大容量記憶モードに対応するリンクをスクリーンに表示し、
上記メインモードにおいて上記スクリーンに表示される上記大容量記憶モードに対応するリンクが選択された場合に、上記大容量記憶モードを上記ＯＢＵおよび上記モバイルデバイスにおいて有効にし、
上記モバイルデバイスが上記ＯＢＵの大容量記憶装置として振る舞う、システム。
【請求項９】
上記プロジェクターモードが上記ＯＢＵを介して有効にされ、
上記ＯＢＵが上記モバイルデバイスの表示コンテンツを表示し、
上記モバイルデバイスが上記ＯＢＵを介してアクセスされる、請求項８に記載のシステム。
【請求項１０】
上記プロジェクターモードが上記ＯＢＵのリンクを介して有効にされ、
上記リンクが上記モバイルデバイスのアプリケーションに対応している、請求項９に記載のシステム。
【請求項１１】
上記モバイルデバイスの上記アプリケーションが最前面にない場合に、上記プロジェクターモードが無効にされる、請求項１０に記載のシステム。
【請求項１２】
上記インターネット共有モードが有効にされ、
上記モバイルデバイスが上記ＯＢＵのテザーモデムとして振る舞う、請求項８に記載のシステム。
【請求項１３】
上記データリンクは無線データリンクまたは有線データリンクである、請求項８に記載のシステム。
【請求項１４】
上記モバイルデバイスは、携帯電話、ＰＤＡ（ｐｅｒｓｏｎａｌ  ｄｉｇｉｔａｌ  ａｓｓｉｓｔａｎｔ）、または、タブレットコンピュータである、請求項８に記載のシステム。
【発明の詳細な説明】
【技術分野】
【０００１】
本発明は、車載ユニット（ｏｎ−ｂｏａｒｄ  ｕｎｉｔ；  ＯＢＵ）とモバイルデバイスとの間のオペレーション方法に関し、さらに具体的には、ＯＢＵと、ＯＢＵをデータリンクを介してモバイルデバイスに接続することによってＯＢＵの機能性を拡張することができるモバイルデバイスとの間のオペレーション方法に関する。
【背景技術】
【０００２】
〔先行技術の記載〕
従来、自動車に搭載した車載ユニット（ＯＢＵ）は、ＦＭ／ＡＭチャンネルやＣＤプレーヤなどの非常に簡単な機能しか有していなかった。最近では、家庭用電化製品の技術が急速に発展／成長している状況であり、仮にモバイルデバイス（例えば携帯電話、ＰＤＡ（ｐｅｒｓｏｎａｌ  ｄｉｇｉｔａｌ  ａｓｓｉｓｔａｎｔ）、タブレットコンピュータなど）をＯＢＵとうまく組み合わせることを考えればより注目され／ＯＢＵと接続されれば、自動車のドライバ／乗客の使い心地を改善できる使用状況や場面が多い。
【発明の概要】
【発明が解決しようとする課題】
【０００３】
したがって、当該産業はＯＢＵの機能性を向上させることを目指している。
【０００４】
以上のことを踏まえて、本発明の目的は、ＯＢＵと、ＯＢＵをデータリンクを介してモバイルデバイスに接続することによってＯＢＵの機能性を拡張することができるモバイルデバイスとの間のオペレーション方法を提供することである。
【課題を解決するための手段】
【０００５】
本発明は、車載ユニット（ｏｎ−ｂｏａｒｄ  ｕｎｉｔ；  ＯＢＵ）とモバイルデバイスとの間のオペレーション方法を開示する。このオペレーション方法は、ＯＢＵおよびモバイルデバイスをデータリンクで接続するステップと、該ＯＢＵおよびモバイルデバイスを駆動してメインモードにして相互作用させるステップとを含む。
【０００６】
本発明は、車載ユニット（ｏｎ−ｂｏａｒｄ  ｕｎｉｔ；  ＯＢＵ）システムをさらに開示する。このＯＢＵシステムは、ＯＢＵと、モバイルデバイスと、該ＯＢＵをモバイルデバイスに接続するためのデータリンクとを備え、該ＯＢＵおよびモバイルデバイスが駆動されてメインモードになり動作する。
【０００７】
本発明のこれらの目的およびその他の目的は、各種図面に図示した好適な実施形態に関する以下の詳細な説明を読めば、当業者には自明になるであろう。
【図面の簡単な説明】
【０００８】
【図１】本発明の一実施形態に係る、ＯＢＵとモバイルデバイスとの間のオペレーションプロセスの概略図である。
【図２】本発明の一実施形態に係る、ＯＢＵとモバイルデバイスとの間のオペレーションのためのメインモードの概略図である。
【図３】本発明の一実施形態に係る、図２に示すプロジェクターモードの有効化プロセスおよび無効化プロセスの概略図である。
【図４】本発明の一実施形態に係る、図２に示す大容量記憶モードの有効化プロセスおよび無効化プロセスの概略図である。
【図５】本発明の一実施形態に係る、図２に示すインターネット共有モード有効化プロセスおよび無効化プロセスの概略図である。
【発明を実施するための形態】
【０００９】
〔関連出願件の相互参照〕
本願は、米国特許仮出願第６１／３９１，６８８号明細書（出願日２０１０年１０月１１日；発明の名称「HTC Mode between OBU and the mobile device」）の利益を主張するものであり、該特許仮出願は参照によってここに引用されるものとする。
【００１０】
〔詳細な説明〕
図１は、本発明の一実施形態に係る、車載ユニット（ｏｎ−ｂｏａｒｄ  ｕｎｉｔ；  ＯＢＵ）とモバイルデバイスとの間のオペレーションプロセス１０の概略図である。ここで、上記モバイルデバイスは、例えば、携帯電話、ＰＤＡ（ｐｅｒｓｏｎａｌ  ｄｉｇｉｔａｌ  ａｓｓｉｓｔａｎｔ）、タブレットコンピュータなどであればよい。オペレーションプロセス１０は、以下の各ステップを含む。すなわち、
・ステップ１００：開始。
・ステップ１０２：ＯＢＵをデータリンクを介してモバイルデバイスに接続する。
・ステップ１０４：ＯＢＵおよびモバイルデバイスを駆動してメインモードにして動作させる。
・ステップ１０６：終了。
【００１１】
オペレーションプロセス１０によれば、ＯＢＵをデータリンク（例えば無線データリンクや有線データリンクなど）を介してモバイルデバイスに接続した後に、これらのＯＢＵ、モバイルデバイス、および、データリンクは、ＯＢＵシステムとみなしてよく、ＯＢＵおよびモバイルデバイスは、どちらもＯＢＵまたはモバイルデバイスの底部スクリーンまたはタッチスクリーンを介して駆動されてメインモードになり動作することができる。上記メインモードは、動作に関連するユーザの複数の状況ならびにＯＢＵおよびモバイルデバイスの能力を実現するための、プロジェクターモード、大容量記憶モード、および、インターネット共有モードをさらに含む。さらに、プロジェクターモード、大容量記憶モード、および、インターネット共有モードのうちの少なくとも１つを有効にして、対応する効果を達成することができる。その結果、本発明は、ＯＢＵをデータリンクを介してモバイルデバイスに接続することによって、ＯＢＵの機能性を拡張することができる。
【００１２】
図２は、本発明の一実施形態に係る、ＯＢＵとモバイルデバイスとの間のオペレーションのためのメインモード２０の概略図である。この図を参照しながら、さらに詳細に説明する。メインモード２０は、プロジェクターモード２００、大容量記憶モード２０２、および、インターネット共有モード２０４を含む。図２に示すように、メインモード２０において、Ａ２ＤＰプロファイルが、ＯＢＵとモバイルデバイスとの間の無線Ｂｌｕｅｔｏｏｔｈ(登録商標)（ＢＴ）データリンクを介するオーディオデータの転送をサポートする。
【００１３】
プロジェクターモード２００がＯＢＵを介して有効にされると、ＯＢＵは、フレームバッファから有線／無線データリンクを介して表示コンテンツを受信することによって、モバイルデバイスの表示コンテンツを表示するためのプロジェクターとして振る舞う。このとき、ＯＢＵ上に表示されるモバイルデバイスの表示コンテンツを、スクリーンの一部に表示しても、スクリーン前面を使用して表示してもかまわない。さらに、ＯＢＵのタッチパネルまたは入力ボタンにアクセスすることによって、モバイルデバイスにアクセスすることができ、モバイルデバイスの各種プログラムおよびアプリケーションをＯＢＵを介して使用することができる。このような状況では、ＯＢＵはモバイルデバイスの入出力装置として振る舞う。その結果、ドライバまたは乗客は、モバイルデバイスのプログラムおよびアプリケーションにＯＢＵからアクセスすることができ、ＯＢＵ上でのキーイベントまたはタッチイベントは、遠隔制御機構または遠隔デスクトップ機構を介してモバイルデバイスに転送される。その結果、モバイルデバイスのプログラムおよびアプリケーションを使用することによって、ＯＢＵの機能性が拡張できるようになる。
【００１４】
また、大容量記憶モード２０２がＯＢＵを介して有効にされると、モバイルデバイスは、ＯＢＵの大容量記憶装置として振る舞い、その結果、ＯＢＵは、モバイルデバイスに保存されている媒体ファイルおよび娯楽プログラムを、モバイルデバイスから過剰な表示データを転送しなくても再生することができる。その結果、本発明は、モバイルデバイスを大容量記憶装置として使用して、モバイルデバイスに保存されているプログラムおよびアプリケーションを再生することによって、ＯＢＵの機能性を拡張することができる。
【００１５】
さらに、インターネット共有モード２０４がＯＢＵを介して有効にされると、モバイルデバイスは、ＯＢＵのテザーモデム（例えばＵＳＢモデム）として振る舞い、その結果、ＯＢＵはモバイルデバイス（例えばＵＤＰ（Ｕｓｅｒ  Ｄａｔａｇｒａｍ  Ｐｒｏｔｏｃｏｌ）、ＴＣＰ（Ｔｒａｎｓｍｉｓｓｉｏｎ  Ｃｏｎｔｒｏｌ  Ｐｒｏｔｏｃｏｌ）、ＩＰｖ４）を介してインターネットに接続できるようになる。その結果、本発明は、モバイルデバイスをテザーモデムとして使用してインターネットに接続することによって、ＯＢＵの機能性を拡張することができる。
【００１６】
例えば、図３〜図５は、本発明の一実施形態に係る、図２に示すプロジェクターモード２００、大容量記憶モード２０２、および、インターネット共有モード２０４の有効化プロセスおよび無効化プロセス３０〜５０の概略図である。図３に示すように、プロジェクターモード２００の有効化プロセスおよび無効化プロセス３０は、以下の各ステップを含む。すなわち、
・ステップ３００：開始。
・ステップ３０２：メインモード２０のウインドウを表示する。
・ステップ３０４：アプリケーションを起動するために、起動コマンドをモバイルデバイスに送る。
・ステップ３０６：この起動コマンドを受信して、アプリケーションを起動する。
・ステップ３０８：プロジェクターモード２００で動作する。モバイルデバイスのフレームバッファから表示コンテンツを受信し、ＯＢＵのタッチパネルまたは入力ボタンを介してアプリケーションにアクセスする。
・ステップ３１０：プロジェクターモード２００で動作する。アプリケーションを最前面で動作させる。
・ステップ３１２：アプリケーションが最前面にない場合には、停止コマンドをＯＢＵに送り、プロジェクターモード２００を停止させる。
・ステップ３１４：この停止コマンドを受信して、プロジェクターモード２００を停止させる。その後、ステップ３０２に進む。
・ステップ３１６：バックボタンが押された場合には、停止コマンドをモバイルデバイスに送り、プロジェクターモード２００を停止させる。その後、ステップ３０２に進む。
・ステップ３１８：この停止コマンドを受信して、プロジェクターモード２００を停止させる。
【００１７】
有効化プロセスおよび無効化プロセス３０によれば、メインモード２０において、ＯＢＵは、複数のアプリケーション、すべてのアプリケーション、大容量記憶モード２０２、および、インターネット共有モード２０４に対応する複数のリンクを表示するメインモード２０のウインドウを表示することができる。プロジェクターモード２００の有効化プロセス（つまりステップ３０４〜ステップ３１０）において、ユーザは、アプリケーションに対応するリンクを選択することができ、ＯＢＵは、アプリケーションを起動するために、起動コマンドをモバイルデバイスに送る。その結果、モバイルデバイスは、この起動コマンドを受信し、アプリケーションを起動する。そして、ＯＢＵはプロジェクターモード２００で動作する、つまり表示コンテンツをモバイルデバイスのフレームバッファから受信して、ＯＢＵのタッチパネルまたは入力ボタンを介してアプリケーションにアクセスする。また、モバイルデバイスもプロジェクターモード２００で動作する、つまりアプリケーションを最前面で動作させる。なお、ユーザが、メインモード２０のウインドウに表示される複数のリンクに対応しないアプリケーションを選択するために、すべてのアプリケーションに対応するリンクを選択してもよい。その結果、本発明は、モバイルデバイスのプログラムおよびアプリケーションをプロジェクターモード２００において使用することによって、ＯＢＵの機能性を拡張することができる。
【００１８】
他方で、プロジェクターモード２００の１つの無効化プロセス（つまりステップ３１２〜ステップ３１４）において、アプリケーションが最前面にない場合（例えば、ユーザがＯＢＵを介してアプリケーションを閉じる場合、または、ユーザがＯＢＵ上でアプリケーションを使用しない場合）、モバイルデバイスは停止コマンドをＯＢＵに送り、プロジェクターモード２００を停止させる。そして、ＯＢＵは、この停止コマンドを受信して、プロジェクターモード２００を停止させ、そして先の状態に戻ってメインモード２０のウインドウを表示する。
【００１９】
プロジェクターモード２００の別の無効化プロセス（つまりステップ３１６〜ステップ３１８）において、ＯＢＵのバックボタンがユーザによって押された場合、ＯＢＵは停止コマンドをモバイルデバイスに送り、プロジェクターモード２００を停止させ、そして先の状態に戻ってメインモード２０のウインドウを表示する。そして、モバイルデバイスは、この停止コマンドを受信し、プロジェクターモード２００を停止させる。その結果、プロジェクターモード２００はモバイルデバイスによって無効にすることも、ＯＢＵによって無効にすることもできる。
【００２０】
図４に示すもう１つの例では、大容量記憶モード２０２の有効化プロセスおよび無効化プロセス４０は、以下の各ステップを含む。すなわち、
・ステップ４００：開始。
・ステップ４０２：モバイルデバイスに接続する。
・ステップ４０４：プロジェクターモード２００を有効にする。
・ステップ４０６：設定コマンドをモバイルデバイスに送り、大容量記憶モード２０２を有効にする。
・ステップ４０８：この設定コマンドを受信し、大容量記憶モード２０２に設定する。
・ステップ４１０：モバイルデバイスに接続する。
・ステップ４１２：自動的に、接続を検出して大容量記憶モード２０２に設定する。
・ステップ４１４：大容量記憶モード２０２を有効にする。
・ステップ４１６：モバイルデバイスとの接続を切断する。
・ステップ４１８：大容量記憶モード２０２を無効にする。
・ステップ４２０：メインモード２０のウインドウを閉じる。
【００２１】
有効化プロセスおよび無効化プロセス４０によれば、大容量記憶モード２０２の１つの有効化プロセス（つまりステップ４０２〜ステップ４０８）において、ＯＢＵがモバイルデバイスに接続されて、プロジェクターモード２００を有効にすると、ＯＢＵは設定コマンドをモバイルデバイスに送り、大容量記憶モード２０２を有効にする。そして、モバイルデバイスはこの設定コマンドを受信し、大容量記憶モード２０２に設定する。このような状況では、プロジェクターモード２００および大容量記憶モード２０２は、どちらもＯＢＵとモバイルデバイスとの間で有効にされて、その結果、ユーザは、モバイルデバイスから過剰な表示データを転送しなくても、ＯＢＵを介してモバイルデバイスにアクセスできるようになる。なお、別の一実施形態では、ユーザが、ＯＢＵを介してＯＢＵとモバイルデバイスとの間で大容量記憶モード２０２を有効にするために、メインモード２０のウインドウに表示される大容量記憶モード２０２に対応するリンクを選択してもよい。
【００２２】
大容量記憶モード２０２の別の有効化プロセス（つまりステップ４１０〜ステップ４１４）において、ＯＢＵがモバイルデバイスに接続した後に、モバイルデバイスは自動的に、接続を検出して大容量記憶モード２０２に設定する。そして、ＯＢＵは大容量記憶モード２０２を有効にする。その結果、プロジェクターモード２００はＯＢＵによって有効にすることも、モバイルデバイスによって有効にすることもできる。その結果、モバイルデバイスを大容量記憶装置として使用して、モバイルデバイスに保存されているプログラムおよびアプリケーションを再生することによって、ＯＢＵの機能性を拡張できる。
【００２３】
他方で、大容量記憶モード２０２の無効化プロセス（つまりステップ４１６〜ステップ４２０）において、ＯＢＵがモバイルデバイスとの接続を切断する場合、ＯＢＵは大容量記憶モード２０２を無効にし、そしてメインモード２０のウインドウを閉じる。
【００２４】
図５に示すもう１つの例では、インターネット共有モード２０４の有効化プロセスおよび無効化プロセス５０は、以下の各ステップを含む。すなわち、
・ステップ５００：開始。
・ステップ５０２：メインモード２０のウインドウを表示する。
・ステップ５０４：有効化コマンドをモバイルデバイスに送り、インターネット共有モード２０４を有効にする。
・ステップ５０６：この有効化コマンドを受信し、インターネット共有モード２０４を有効にする。
・ステップ５０８：インターネット共有を扱うためのプログラムを起動する。
・ステップ５１０：アプリケーションを起動する。
・ステップ５１２：バックボタンが押された場合、無効化コマンドをモバイルデバイスに送り、インターネット共有モード２０４を停止させる。その後、ステップ５０２に進む。
・ステップ５１４：無効化コマンドを受信し、インターネット共有モード２０４を停止させる。
・ステップ５１６：アプリケーションが最前面にない場合、インターネット共有モード２０４を停止させ、無効化コマンドをモバイルデバイスに送る。その後、ステップ５０２に進む。
・ステップ５１８：この無効化コマンドを受信し、インターネット共有モード２０４を停止させる。
【００２５】
有効化プロセスおよび無効化プロセス５０によれば、メインモード２０において、ＯＢＵは、複数のアプリケーション、すべてのアプリケーション、大容量記憶モード２０２、および、インターネット共有モード２０４に対応する複数のリンクを表示するメインモード２０のウインドウを表示することができる。インターネット共有モード２０４の有効化プロセス（つまりステップ５０４〜ステップ５１０）において、ユーザは、インターネット共有モード２０４に対応するリンクを選択することができ、ＯＢＵは、インターネット共有モード２０４を有効にするために、有効化コマンドをモバイルデバイスに送る。その結果、モバイルデバイスは、この有効化コマンドを受信し、インターネット共有モード２０４を有効にする。そして、ＯＢＵは、モバイルデバイスをテザーモデムとして使用することによって、インターネット共有を扱うためのプログラムを起動する。こうすることによって、ＯＢＵはアプリケーション（例えばＹｏｕＴｕｂｅやブラウザ）を起動して動作させることができるようになる。その結果、本発明は、モバイルデバイスをテザーモデムとして使用してインターネットに接続することによって、ＯＢＵの機能性を拡張することができる。
【００２６】
他方で、インターネット共有モード２０４の１つの無効化プロセス（つまりステップ５１２〜ステップ５１４）において、ＯＢＵのバックボタンがユーザによって押された場合、ＯＢＵは、無効化コマンドをモバイルデバイスに送り、インターネット共有モード２０４を停止させ、そして先の状態に戻ってメインモード２０のウインドウを表示する。そして、モバイルデバイスは、この無効化コマンドを受信して、インターネット共有モード２０４を停止させる。
【００２７】
インターネット共有モード２０４の別の無効化プロセス（つまりステップ５１６〜ステップ５１８）において、アプリケーションが最前面にない場合（例えば、ユーザがＯＢＵを介してアプリケーションを閉じる場合、または、ユーザがＯＢＵ上でアプリケーションを使用しない場合）、ＯＢＵはインターネット共有モード２０４を停止させ、無効化コマンドをモバイルデバイスに送り、そして先の状態に戻ってメインモード２０のウインドウを表示する。そして、モバイルデバイスはこの無効化コマンドを受信して、インターネット共有モード２０４を停止させる。その結果、インターネット共有モード２０４は、ＯＢＵを介して無効にすることができる。
【００２８】
なお、本発明の精神は、ＯＢＵをデータリンクを介してモバイルデバイスに接続し、ＯＢＵおよびモバイルデバイスを駆動してメインモードにして動作させ、ＯＢＵの機能性を拡張することである、したがって、当業者は修正や変更を施すことができるはずである。なお、上記実施形態において、メインモードは、動作に関連するユーザの複数の状況ならびにＯＢＵおよびモバイルデバイスの能力を実現するための、プロジェクターモード２００、大容量記憶モード２０２、および、インターネット共有モード２０４を含む。さらに、プロジェクターモード２００、大容量記憶モード２０２、および、インターネット共有モード２０４を個別に有効にすることも、個々の効果を保持しながら任意に組み合わせで有効にすることもできる。ただし、メインモードは、モバイルデバイスを使用してＯＢＵの機能性を拡張するための他のモードをさらに含んでもかまわない。
【００２９】
先行技術では、自動車に搭載した従来の車載ユニット（ＯＢＵ）は、ＦＭ／ＡＭチャンネルやＣＤプレーヤなどの非常に簡単な機能性しか有していなかった。これと比較して記載すれば、本発明では、ＯＢＵをデータリンクを介してモバイルデバイスに接続し、ＯＢＵおよびモバイルデバイスを駆動してメインモードにして動作させる。その結果、モバイルデバイスをプロジェクターモード２００、大容量記憶モード２０２、または、インターネット共有モード２０４で使用することによって、ＯＢＵの機能性を拡張することができるようになる。
【００３０】
当業者には、デバイスおよび方法に対してさまざまな修正や変更を加えてもよく、これらの修正や変更が本発明の教唆を逸脱するものではないことが容易に理解できるであろう。したがって、上記の開示は、添付の請求項の範囲によってのみ限定されると解釈されるべきものである。
【図１】
0005530410.tif 000002
【図２】
0005530410.tif 000003
【図３】
0005530410.tif 000004
【図４】
0005530410.tif 000005
【図５】
0005530410.tif 000006